(57)【要約】【課題】  発光を伴う撮影時においてホワイトバランスが確保された画像を記録する。【解決手段】  この電子スチルカメラは、第１及び第２ゲイン調整回路２１，２２を有するとともに、ゲイン記憶部３８を有している。ゲイン記憶部３８は、ストロボ３７の発光を伴うオートホワイトバランス制御時に第１ゲイン調整回路２１のＲ用アンプ２１ａとＢ用アンプ２１ｃに設定されるゲインが記憶された第１ゲインテーブル、及び第２ゲイン調整回路２２のＲ用アンプ２２ａとＢ用アンプ２２ｃに設定されるゲインが記憶された第２ゲインテーブルを有している。そして、第２ゲインテーブルのゲインを順次第２ゲイン調整回路２２に設定して白検出を行い、その結果に基づき第１ゲイン調整回路２１に設定すべきゲインを第１ゲインテーブルから選択して、第１ゲイン調整回路２１に設定する。【選択図】        図１
2005102177.tif 000002
【特許請求の範囲】
【請求項１】
被写体を撮像して撮像信号を出力する撮像手段と、
発光して前記被写体に光を照射する発光手段と、
前記撮像手段から出力される前記撮像信号を色成分毎に個別に増幅する増幅手段と、
前記撮像手段から出力される前記撮像信号の色成分に基づき、前記発光手段の非発光状態における光源の種別を検出する検出手段と、
前記発光手段の発光を伴う撮影時において、前記検出手段により検出された光源の種別に応じて、前記増幅手段にゲインを設定する設定手段と、
この設定手段により設定されたゲインで前記増幅手段により増幅された撮像信号から生成した画像情報を記録に供する制御手段と、
を備えたことを特徴とする撮像装置。
【請求項２】
前記発光手段の発光時における被写体のホワイトバランスを確保するための色成分毎のゲインを光源の種別毎に記憶した設定ゲイン記憶手段を更に備え、
前記設定手段は、前記検出手段により検出された光源の種別に対応するゲインを前記設定ゲイン記憶手段から読み出して設定することを特徴とする請求項１記載の撮像装置。
【請求項３】
被写体を撮像して撮像信号を出力する撮像手段と、
発光して前記被写体に光を照射する発光手段と、
前記撮像手段から出力される前記撮像信号を色成分毎に個別に増幅する第１及び第２の増幅手段と、
前記発光手段の発光時における被写体のホワイトバランスを確保するための色成分毎のゲインを複数種記憶した設定ゲイン記憶手段と、
前記第２の増幅手段の色成分毎のゲインを順次変化させる可変手段と、
この可変手段により順次変化する色成分毎のゲインで前記第２の増幅手段により増幅された撮像信号から生成した画像情報に基づき、所定の白検出範囲に含まれる色情報を有するゲインを検出する検出手段と、
前記発光手段の発光を伴う撮影時において、前記検出手段により検出されたゲインに基づき、前記第１の増幅手段に設定すべきゲインを前記設定ゲイン記憶手段から選択し、前記第１の増幅手段に設定する設定手段と、
この設定手段により設定されたゲインで前記第１の増幅手段により増幅された撮像信号から生成した画像情報を記録に供する制御手段と、
を備えたことを特徴とする撮像装置。
【請求項４】
前記第２の増幅手段に設定すべき色成分毎のゲインを複数種記憶した可変ゲイン記憶手段を更に備え、
前記可変手段は、この可変ゲイン記憶手段に記憶されている複数種のゲインを前記第２の増幅手段に順次設定することにより、前記色成分毎のゲインを順次変化させることを特徴とする請求項３記載の撮像装置。
【請求項５】
前記可変ゲイン記憶手段は、前記設定ゲイン記憶手段よりも多数種のゲインを記憶していることを特徴とする請求項４記載の撮像装置。
【請求項６】
前記設定手段は、前記検出手段により検出されたゲインに基づき、前記設定ゲイン記憶手段に記憶されているゲインを候補として選択し、この候補として選択したゲインが所定回数連続した場合に、当該候補として選択されたゲインを前記第１の増幅手段に設定すべきゲインとして最終的に選択することを特徴とする請求項３、４又は５記載の撮像装置。
【請求項７】
前記設定ゲイン記憶手段に記憶されている複数種のゲインは、白熱灯、蛍光灯、日陰、太陽光下で前記発光手段の発光時において被写体のホワイトバランスを確保し得る色成分毎のゲインであることを特徴とする請求項２から６にいずれか記載の撮像装置。
【請求項８】
前記撮像手段が被写体を撮像した際の露出を判定する露出判定手段をさらに備え、
前記設定手段は、前記露出判定手段により判定された露出と前記検出手段により検出されたゲインに基づき、前記第１の増幅手段に設定すべきゲインを前記設定ゲイン記憶手段から選択して前記第１の増幅手段に設定することを特徴とする請求項７記載の撮像装置。
【請求項９】
被写体を撮像して撮像信号を出力する撮像手段と、発光して前記被写体に光を照射する発光手段と、前記撮像手段から出力される前記撮像信号を色成分毎に個別に増幅する増幅手段とを備えた撮像装置におけるホワイトバランス制御方法であって、
前記撮像手段から出力される前記撮像信号の色成分に基づき、前記発光手段の非発光状態における光源の種別を検出する検出工程と、
前記発光手段の発光を伴う撮影時において、前記検出手段により検出された光源の種別に応じて、前記増幅手段にゲインを設定する設定工程と、
前記設定工程により設定されたゲインで前記増幅手段により増幅された撮像信号から生成した画像情報を記録に供する制御工程と、
を含むことを特徴とするホワイトバランス制御方法。
【請求項１０】
被写体を撮像して撮像信号を出力する撮像手段と、発光して前記被写体に光を照射する発光手段と、前記撮像手段から出力される前記撮像信号を色成分毎に個別に増幅する第１及び第２の増幅手段と、前記発光手段の発光時における被写体のホワイトバランスを確保するための色成分毎のゲインを複数種記憶した記憶手段とを備えた撮像装置におけるホワイトバランス制御方法であって、
前記第２の増幅手段の色成分毎のゲインを順次変化させる可変工程と、
この可変工程により順次変化する色成分毎のゲインで前記第２の増幅手段により増幅された撮像信号から生成した画像情報に基づき、所定の白検出範囲に含まれる色情報を有するゲインを検出する検出工程と、
前記発光手段の発光を伴う撮影時において、この検出工程により検出されたゲインに基づき、前記第１の増幅手段に設定すべきゲインを前記記憶手段から選択し、この選択したゲインを前記第１の増幅手段に設定する設定工程と、
前記設定工程により設定されたゲインで前記第１の増幅手段により増幅された撮像信号から生成した画像情報を記録に供する制御工程と、
を含むことを特徴とするホワイトバランス制御方法。
【請求項１１】
被写体を撮像して撮像信号を出力する撮像手段と、発光して前記被写体に光を照射する発光手段と、前記撮像手段から出力される前記撮像信号を色成分毎に個別に増幅する増幅手段とを備えた撮像装置が有するコンピュータを、
前記撮像手段から出力される前記撮像信号の色成分に基づき、前記発光手段の非発光状態における光源の種別を検出する検出手段と、
前記発光手段の発光を伴う撮影時において、前記検出手段により検出された光源の種別に応じて、前記増幅手段にゲインを設定する設定手段と、
この設定手段により設定されたゲインで前記増幅手段により増幅された撮像信号から生成した画像情報を記録に供する制御手段と、
して機能させることを特徴とするホワイトバランス制御プログラム。
【請求項１２】
被写体を撮像して撮像信号を出力する撮像手段と、発光して前記被写体に光を照射する発光手段と、前記撮像手段から出力される前記撮像信号を色成分毎に個別に増幅する第１及び第２の増幅手段と、被写体のホワイトバランスを確保するための色成分毎のゲインを複数種記憶した記憶手段とを備えた撮像装置が有するコンピュータを、
前記第２の増幅手段の色成分毎のゲインを順次変化させる可変手段と、
この可変手段により順次変化する色成分毎のゲインで前記第２の増幅手段により増幅された撮像信号から生成した画像情報に基づき、所定の白検出範囲に含まれる色情報を有するゲインを検出する検出手段と、
前記発光手段の発光を伴う撮影時において、前記検出手段により検出されたゲインに基づき、前記第１の増幅手段に設定すべきゲインを前記記憶手段から選択し、この選択したゲインを前記第１の増幅手段に設定する設定手段と、
この設定手段により設定されたゲインで前記第１の増幅手段により増幅された撮像信号から生成した画像情報を記録に供する制御手段と
して機能させることを特徴とするホワイトバランス制御プログラム。
【発明の詳細な説明】
【技術分野】
【０００１】
本発明は、撮像装置、ホワイトバランス制御方法及びホワイトバランス制御プログラムに関する。
【背景技術】
【０００２】
従来、撮像装置の一種である電子スチルカメラにおいては、所定のモード（ＲＥＣモード等）が設定された撮影待機状態では、ＣＣＤ等の固体撮像素子を用いて撮像した被写体像を、シャッター操作に関係なくスルー（ファインダ）画像として液晶モニタに表示させるものが多い。こうした電子スチルカメラにおいて被写体の色をより正確に再現するにはホワイトバランスをとることが必要である。ホワイトバランスは色温度の異なる光の下で撮像する場合でも白い被写体を白く写すためのものであり、固体撮像素子から出力される画像信号のゲインを、撮影環境（光源）に応じてＲ，Ｇ，Ｂの色成分毎に調整することにより確保できる。したがって、予想される複数種の撮影環境（光源）に対応するゲイン値や基準となるゲインの補正係数をメモリしておき、使用者に実際の撮影環境（光源）を設定させれば最適状態に近いホワイトバランスをとることが可能である。
【０００３】
しかし、それでは使用者に煩雑な操作を強いることとなるため、ホワイトバランスを自動的にとるオートホワイトバランス機能を設けたものもある。オートホワイトバランスを行うには、撮像画像のどの部分が白であるのかを判断する必要がある。この白判断に際しては、まず固体撮像素子の出力信号（画像信号）をＹＵＶ変換して得られる色差信号（Ｃｂ信号、Ｃｒ信号）を用いて、画像を構成する全ての画素についての色情報、つまりＣｂ値、Ｃｒ値を調べる。このとき、ある画素のＣｂ値、Ｃｒ値が所定の白検出範囲（白である可能性が高いと考えられる範囲）に含まれる場合には、その画素の色は白であると判断し、白と判断した全ての画素のＣｂ値、Ｃｒ値を個別に積算する。そして、Ｃｂの積算値とＣｒの積算値とが「０」となる（Ｃｂ＝Ｃｒ＝０となる）ように、Ｒ成分のゲインとＢ成分のゲインとを調整する。すなわち白が青みがかっている状態（色温度が高い光の下での撮影時）では、Ｒ成分のゲインを上げてＢ成分のゲインを下げ、白が赤みがかっている状態（色温度が低い光の下での撮影時）では、Ｒ成分のゲインを下げてＢ成分のゲインを上げる。
【０００４】
かかる方法では、太陽光（５５００Ｋの標準光）の下で白く見える被写体を異なる撮影条件（撮影光）の下で撮影したときにその色（Ｃｂ値、Ｃｒ値）が変化する範囲を、前記白検出範囲ＷＳとして設定しておくことにより、撮影条件（撮影光）が異なっても適切なホワイトバランスが自動的に得られることとなる。
【０００５】
また、ストロボ発光時において、適切なホワイトバランスが自動的に得られるオートホワイトバランス制御方法も提案されるに至っている（例えば、特許文献１参照。）。このオートホワイトバランス制御方法は、撮像前に測光した被写体輝度に予め定めらたストロボ発光時の被写体輝度の増加分を示す定数を加算した被写体輝度と、ストロボ発光撮影時に測光した被写体輝度とを比較する。この比較の結果、ストロボ発光時撮影時の被写体輝度の方が大きい場合には、光源の種類をストロボ光と判定してホワイトバランスを調整するのである。
【特許文献１】特開２０００−３０８０６９号公報
【発明の開示】
【発明が解決しようとする課題】
【０００６】
しかしながら、前述したオートホワイトバランス制御方法において、光源の種類をストロボ光と判定してホワイトバランスを調整する際、ストロボの光源であるキセノン管は太陽光と色温度が同じ５５００度であるため、ホワイトバランスのゲイン設定は太陽光である場合と同様の設定を行うことになる。したがって、外光が全くない状態又は外光が太陽光である場合には問題はないが、太陽光以外の外光があり、これが被写体に当たっている状態で、ストロボを発光させると、ホワイトバランスのゲイン設定を太陽光としているため、撮像記録された画像は外光の色味が残った画像となってしまう。
【０００７】
本発明は、かかる従来の課題に鑑みてなされたものであり、発光を伴う撮影時においてホワイトバランスが確保された画像を記録することができる撮像装置、ホワイトバランス制御方法及びホワイトバランス制御プログラムを提供することを目的とする。
【課題を解決するための手段】
【０００８】
前記課題を解決するために請求項１に係る撮像装置にあっては、被写体を撮像して撮像信号を出力する撮像手段と、発光して前記被写体に光を照射する発光手段と、前記撮像手段から出力される前記撮像信号を色成分毎に個別に増幅する増幅手段と、前記撮像手段から出力される前記撮像信号の色成分に基づき、前記発光手段の非発光状態における光源の種別を検出する検出手段と、前記発光手段の発光を伴う撮影時において、前記検出手段により検出された光源の種別に応じて、前記増幅手段にゲインを設定する設定手段と、この設定手段により設定されたゲインで前記増幅手段により増幅された撮像信号から生成した画像情報を記録に供する制御手段とを備えている。
【０００９】
すなわち、検出手段が発光手段の非発光状態における被写体に対する光源の種別を検出すると、この検出された光源に応じて、発光手段の発光時における被写体のホワイトバランスを確保するための色成分毎のゲインが設定手段により増幅手段に設定される。したがって、この設定されたゲインで増幅手段により増幅された撮像信号から生成した被写体の画像情報が記録に供されることにより、煩雑な操作を必要とせずに、発光を伴う撮影時において良好なホワイトバランスが確保された画像を記録することができる。
【００１０】
また、請求項２に係る撮像装置にあっては、前記発光手段の発光時における被写体のホワイトバランスを確保するための色成分毎のゲインを光源の種別毎に記憶した設定ゲイン記憶手段を更に備え、前記設定手段は、前記検出手段により検出された光源の種別に対応するゲインを前記設定ゲイン記憶手段から読み出して設定する。したがって、記憶手段からゲインを読み出して設定する簡単な処理により、発光を伴う撮影時において良好なホワイトバランスが確保された画像を記録することができる。
【００１１】
また、請求項３に係る撮像装置にあっては、被写体を撮像して撮像信号を出力する撮像手段と、発光して前記被写体に光を照射する発光手段と、前記撮像手段から出力される前記撮像信号を色成分毎に個別に増幅する第１及び第２の増幅手段と、前記発光手段の発光時における被写体のホワイトバランスを確保するための色成分毎のゲインを複数種記憶した設定ゲイン記憶手段と、前記第２の増幅手段の色成分毎のゲインを順次変化させる可変手段と、この可変手段により順次変化する色成分毎のゲインで前記第２の増幅手段により増幅された撮像信号から生成した画像情報に基づき、所定の白検出範囲に含まれる色情報を有するゲインを検出する検出手段と、前記発光手段の発光を伴う撮影時において、前記検出手段により検出されたゲインに基づき、前記第１の増幅手段に設定すべきゲインを前記設定ゲイン記憶手段から選択し、前記第１の増幅手段に設定する設定手段と、この設定手段により設定されたゲインで前記第１の増幅手段により増幅された撮像信号から生成した画像情報を記録に供する制御手段とを備えている。
【００１２】
すなわち、第２の増幅手段が色成分毎のゲインを順次変化させると、検出手段は色成分毎のゲインが変化する都度、第２の増幅手段により増幅された撮像信号から生成した画像情報に基づき、所定の白検出範囲に含まれる色情報を有するゲインを検出する。すると、選択手段がこの検出されたゲインに基づき、設定ゲイン記憶手段に記憶されている発光手段の発光時における被写体のホワイトバランスを確保するための色成分毎のゲインを選択する。そして、この選択されたいずれかのゲインが設定手段により第１の増幅手段に設定される。
【００１３】
したがって、この設定されたゲインで第１の増幅手段により増幅された撮像信号から生成した被写体の画像情報が記録に供されることにより、煩雑な操作を必要とせずに、発光を伴う撮影時において良好なホワイトバランスが確保された画像を記録することができる。しかも、ゲインが順次変化する第２の増幅手段からの撮像信号ではなく、第１の増幅手段からの撮像信号を画像の表示に供すればよいのであるから、表示中の画像のホワイトバランスが頻繁に変化することもない。
【００１４】
また、請求項４に係る撮像装置にあっては、前記第２の増幅手段に設定すべき色成分毎のゲインを複数種記憶した可変ゲイン記憶手段を更に備え、前記可変手段は、この可変ゲイン記憶手段に記憶されている複数種のゲインを前記第２の増幅手段に順次設定することにより、前記色成分毎のゲインを順次変化させる。
したがって、第２の増幅手段のゲインは、予め可変ゲイン記憶手段に記憶されている複数種のゲインで順次変化する。
【００１５】
また、請求項５に係る撮像装置にあっては、前記可変ゲイン記憶手段は、前記設定ゲイン記憶手段よりも多数種のゲインを記憶している。よって、より多様にゲインを変化させた結果から、第１の増幅手段に増幅すべきゲインを選択することができ、より適切なゲイン選択、設定が可能となる。
【００１６】
また、請求項６に係る撮像装置にあっては、前記設定手段は、前記検出手段により検出されたゲインに基づき、前記設定ゲイン記憶手段に記憶されているゲインを候補として選択し、この候補として選択したゲインが所定回数連続した場合に、当該候補として選択されたゲインを前記第１の増幅手段に設定すべきゲインとして最終的に選択する。したがって、最終的により適切な色成分毎のゲインを設定ゲイン記憶手段から選択して設定することができる。
【００１７】
また、請求項７に係る撮像装置にあっては、前記設定ゲイン記憶手段に記憶されている複数種のゲインは、白熱灯、蛍光灯、日陰、太陽光下で前記発光手段の発光時において被写体のホワイトバランスを確保し得る色成分毎のゲインである。よって、煩雑な操作を必要とせずに現実に存在する撮影状況に応じて、白熱灯、蛍光灯、日陰、太陽光下における良好な発光を伴う撮影時のホワイトバランスが確保される。
【００１８】
また、請求項８に係る撮像装置にあっては、前記撮像手段が被写体を撮像した際の露出を判定する露出判定手段をさらに備え、前記選択手段は、前記露出判定手段により判定された露出と前記検出手段により検出されたゲインに基づき、前記第１の増幅手段に設定すべきゲインを前記設定ゲイン記憶手段から選択する。つまり、露出を判定することにより、撮影状況が白熱灯、蛍光灯、日陰、太陽光のいずであるかを推測することができる。よって、この推測をも用いて白熱灯、蛍光灯、日陰、太陽光下における発光を伴う撮影時のホワイトバランスを確保するための色成分毎のゲインが設定されることにより、より適切なゲイン設定が可能となる。
【００１９】
また、請求項９に係る発明にあっては、被写体を撮像して撮像信号を出力する撮像手段と、発光して前記被写体に光を照射する発光手段と、前記撮像手段から出力される前記撮像信号を色成分毎に個別に増幅する増幅手段とを備えた撮像装置におけるホワイトバランス制御方法であって、前記撮像手段から出力される前記撮像信号の色成分に基づき、前記発光手段の非発光状態における光源の種別を検出する検出工程と、前記発光手段の発光を伴う撮影時において、前記検出手段により検出された光源の種別に応じて、前記増幅手段にゲインを設定する設定工程と、前記設定工程により設定されたゲインで前記増幅手段により増幅された撮像信号から生成した画像情報を記録に供する制御工程とを含む。したがって、記載した工程に従って処理を実行することにより、請求項１記載の発明と同様の作用効果を奏する。
【００２０】
また、請求項１０に係る発明にあっては、被写体を撮像して撮像信号を出力する撮像手段と、発光して前記被写体に光を照射する発光手段と、前記撮像手段から出力される前記撮像信号を色成分毎に個別に増幅する第１及び第２の増幅手段と、前記発光手段の発光時における被写体のホワイトバランスを確保するための色成分毎のゲインを複数種記憶した記憶手段とを備えた撮像装置におけるホワイトバランス制御方法であって、前記第２の増幅手段の色成分毎のゲインを順次変化させる可変工程と、この可変工程により順次変化する色成分毎のゲインで前記第２の増幅手段により増幅された撮像信号から生成した画像情報に基づき、所定の白検出範囲に含まれる色情報を有するゲインを検出する検出工程と、前記発光手段の発光を伴う撮影時において、この検出工程により検出されたゲインに基づき、前記第１の増幅手段に設定すべきゲインを前記記憶手段から選択し、この選択したゲインを前記第１の増幅手段に設定する設定工程と、前記設定工程により設定されたゲインで前記第１の増幅手段により増幅された撮像信号から生成した画像情報を記録に供する制御工程とを含む。したがって、記載した工程に従って処理を実行することにより、請求項３記載の発明と同様の作用効果を奏する。
【００２１】
また、請求項１１に係るホワイトバランス制御プログラムにあっては、被写体を撮像して撮像信号を出力する撮像手段と、発光して前記被写体に光を照射する発光手段と、前記撮像手段から出力される前記撮像信号を色成分毎に個別に増幅する増幅手段とを備えた撮像装置が有するコンピュータを、前記撮像手段から出力される前記撮像信号の色成分に基づき、前記発光手段の非発光状態における光源の種別を検出する検出手段と、前記発光手段の発光を伴う撮影時において、前記検出手段により検出された光源の種別に応じて、前記増幅手段にゲインを設定する設定手段と、この設定手段により設定されたゲインで前記増幅手段により増幅された撮像信号から生成した画像情報を記録に供する制御手段として機能させる。したがって、前記コンピュータがこのプログラムに従って処理を実行することにより、請求項１記載の発明と同様の作用効果を奏する。
【００２２】
また、請求項１２に係るホワイトバランス制御プログラムにあっては、被写体を撮像して撮像信号を出力する撮像手段と、発光して前記被写体に光を照射する発光手段と、前記撮像手段から出力される前記撮像信号を色成分毎に個別に増幅する第１及び第２の増幅手段と、被写体のホワイトバランスを確保するための色成分毎のゲインを複数種記憶した記憶手段とを備えた撮像装置が有するコンピュータを、前記第２の増幅手段の色成分毎のゲインを順次変化させる可変手段と、この可変手段により順次変化する色成分毎のゲインで前記第２の増幅手段により増幅された撮像信号から生成した画像情報に基づき、所定の白検出範囲に含まれる色情報を有するゲインを検出する検出手段と、前記発光手段の発光を伴う撮影時において、前記検出手段により検出されたゲインに基づき、前記第１の増幅手段に設定すべきゲインを前記記憶手段から選択し、この選択したゲインを前記第１の増幅手段に設定する設定手段と、この設定手段により設定されたゲインで前記第１の増幅手段により増幅された撮像信号から生成した画像情報を記録に供する制御手段として機能させる。したがって、前記コンピュータがこのプログラムに従って処理を実行することにより、請求項３記載の発明と同様の作用効果を奏する。
【発明の効果】
【００２３】
以上説明したように請求項１、７、９に係る発明によれば、発光手段の非発光状態における被写体に対する光源の種別を検出し、この検出した光源に応じて、発光手段の発光時における被写体のホワイトバランスを確保するための色成分毎のゲインを増幅手段に設定するようにしたことから、設定されたゲインで増幅された撮像信号から生成した被写体の画像情報が記録に供されることにより、発光を伴う撮影時において良好なホワイトバランスが確保された画像を記録することができる。
【００２４】
また、請求項３、８、１０に係る発明によれば、第２の増幅手段により色成分毎のゲインを順次変化させて、所定の白検出範囲に含まれる色情報を有するゲインを検出し、この検出したゲインに基づき、予め記憶されている発光手段の発光時における被写体のホワイトバランスを確保するための色成分毎のゲインを選択して第１の増幅手段に設定し、この設定されたゲインで第１の増幅手段により増幅された撮像信号から生成した画像情報を記録に供するようにしたことから、煩雑な操作を必要とせずに、発光を伴う撮影時において良好なホワイトバランスが確保された画像を記録することができる。しかも、画像の表示には、ゲインが順次変化する第２の増幅手段からの撮像信号ではなく、第１の増幅手段からの撮像信号を用いることができることから、表示中の画像のホワイトバランスが頻繁に変化する不都合を未然に防止することもできる。
【発明を実施するための最良の形態】
【００２５】
以下、本発明の第１の実施の形態を図にしたがって説明する。図１は、本発明を電子スチルカメラに適用した場合のブロック構成図である。
【００２６】
レンズ２０の後方に配置されたＣＣＤ２５は、タイミング信号発生器２６、垂直ドライバ２７によって駆動される。ＣＣＤ２５は原色ＲＧＢの色フィルタアレイが設けられたものであって、ＣＣＤ２５の受光面に結像された光学像はＲ，Ｇ，Ｂの各受光部で電荷蓄積され、光の強さに応じた量のＲ，Ｇ，Ｂの信号電荷に変換された後、アナログの画像信号としてユニット回路２８に出力される。ユニット回路２８は、入力した撮像信号からノイズを除去するＣＤＳと、ノイズが除去された撮像信号をデジタルの画像データに変換するＡ／Ｄ変換器とからなり、ユニット回路２８から出力された画像データは第１及び第２ゲイン調整回路２１，２２に送られる。
【００２７】
第１及び第２ゲイン調整回路２１、２２は、Ｒ，Ｇ，Ｂの色成分毎にＲ用アンプ２１ａ、２２ａ、Ｇ用アンプ２１ｂ、２２ｂ、Ｂ用アンプ２１ｃ、２２ｃを各々備えており、制御部３５から送られる制御信号によって各アンプ２１ａ、２２ａ、２１ｂ、２２ｂ、２１ｃ、２２ｃのゲインが制御される。第１ゲイン調整回路２１によって増幅された画像信号は第１カラープロセス回路２３に送られ、ここでカラープロセス処理を行われた後、デジタルの輝度信号（Ｙ信号）と色差信号（Ｃｂ信号、Ｃｒ信号）を含んだＹＵＶデータとしてＤＭＡコントローラ２９のバッファに書き込まれる。同時にバッファには、カラープロセス処理が行われる以前のＲ，Ｇ，Ｂの画像データも書き込まれる。ＤＭＡコントローラ２９はバッファに書き込まれたＹＵＶデータをＤＲＡＭ３０の指定領域に転送し、展開する。
【００２８】
ビデオエンコーダ３１は、前記バッファから読み出されたＹＵＶデータを元にビデオ信号を発生してＬＣＤからなる表示装置３２に出力する。これにより、撮像待機状態にあるＲＥＣスルーモードの設定時には、撮像された被写体像が表示装置３２にスルー画像として表示される。また、その状態でシャッターキーが押された撮影指示時には、前記バッファに書き込まれた１フレーム分のＹＵＶデータが圧縮／伸張部３３に送られ、圧縮処理を施されてフラッシュメモリ３４に記録される。画像再生等を行うＰＬＡＹモードの設定時には、フラッシュメモリ３４に記録されている画像データがＤＭＡコントローラ２９を介して圧縮／伸張部３３に送られ、伸張処理を施されてＹＵＶデータが再生される。これにより、記録画像が表示装置３２に表示される。
【００２９】
一方、第２ゲイン調整回路２２によって増幅された画像信号は第２カラープロセス回路２４に送られ、ここでカラープロセス処理を行われた後、デジタルの輝度信号（Ｙ信号）と色差信号（Ｃｂ信号、Ｃｒ信号）を含んだＹＵＶデータとして制御部３５に送られる。
【００３０】
制御部３５はＣＰＵ、プログラムやデータが格納されたＲＯＭ、作業用のＲＡＭを有しており、所定のプログラムに従い前述した各部の動作を制御するとともに、操作部３６から送られる状態信号に対応して電子スチルカメラの各機能、すなわち自動露出制御（ＡＥ）やオートホワイトバランス（ＡＷＢ）を実現する。操作部３６には、前記シャッターキー、及びＲＥＣスルーモードとＰＬＡＹモードの切り替えキー等の各種キーが設けられており、キー操作に応じた状態信号を制御部３５に送る。ストロボ３７は、シャッターキーの操作時（撮影時）に必要に応じて駆動され補助光を発する。
【００３１】
ゲイン記憶部３８は、制御部３５によるオートホワイトバランス制御時に第１ゲイン調整回路２１のＲ用アンプ２１ａとＢ用アンプ２１ｃに設定されるゲイン、及び第２ゲイン調整回路２２のＲ用アンプ２２ａとＢ用アンプ２２ｃに設定されるゲインが記憶されている。すなわち、ゲイン記憶部３８には、図２に非発光時ゲインテーブル３８１と、図３に示す設定ゲイン記憶手段としての第１発光時ゲインテーブル３８３と第２発光時ゲインテーブル３８４、及び図４に示す図４に示す可変ゲイン記憶手段としての可変ゲインテーブル３８２とが記憶されている。
【００３２】
図２に示した非発光時ゲインテーブル３８１は、ストロボ３７を発光動作させない非発光時において、制御部３５によるオートホワイトバランス制御時に第１ゲイン調整回路２１のＲ用アンプ２１ａとＢ用アンプ２１ｃにゲインをする際に用いられるテーブルであって、ゲインＮｏ．(1)〜(4)に対応するＲゲインの値とＢゲインの値とが記憶されている。ここで、ゲインＮｏ．(1)は日陰、ゲインＮｏ．(2)は太陽光、ゲインＮｏ．(3)は蛍光灯
、ゲインＮｏ．(4)は白熱灯を各々光源とする撮影時に適切なホワイトバランスを設定す
ることのできるＲゲインの値とＢゲインの値からなる。また、こられＲゲインの値とＢゲインの値は、経験値からなる。
【００３３】
図３（ａ）に示した第１発光時ゲインテーブル３８３は、ストロボ３７を発光動作させる発光時であって、制御部３５によるオートホワイトバランス制御時に第１ゲイン調整回路２１のＲ用アンプ２１ａとＢ用アンプ２１ｃにゲインをする際に用いられるテーブルある。この第１発光時ゲインテーブル３８３には、図示のように「白熱灯」「蛍光灯」「日陰」「太陽光」に対応して、「ＥＶ(Exposure Value)２以下」、「ＥＶ３〜４」、「ＥＶ５以上」におけるＲゲインの値とＢゲインの値とを示す符号が記憶されている。また、第２発光時ゲインテーブル３８４には、同図（ｂ）（ｃ）に示すように、前記第１発光時ゲインテーブル３８３に記憶されている符号Ａ１、Ａ２、Ｂ１・・・Ｄが意味するＲゲインの値とＢゲインの値が具体的数値により記憶されている。
【００３４】
図４に示した可変ゲインテーブル３８２は、制御部３５によるオートホワイトバランス制御時に第２ゲイン調整回路２２のＲ用アンプ２２ａとＢ用アンプ２２ｃにゲインを設定する際に用いられるテーブルであって、ゲインＮｏ．１〜１２に対応するＲゲインの値とＢゲインの値とが記憶されている。ここで、ゲインＮｏ．１及び２は日陰での撮影時、ゲインＮｏ．３、４、５は太陽光、ゲインＮｏ．６、７、８は蛍光灯、ゲインＮｏ．９は白熱灯、ゲインＮｏ．１０は白熱灯を光源とする撮影時に適切なホワイトバランスを設定することのできるＲゲインの値とＢゲインの値からなる。また、ゲインＮｏ．１１は被写体が緑である場合、ゲインＮｏ．１２は被写体がベージュである場合の撮影時に適切なホワイトバランスを設定することのできるＲゲインの値とＢゲインの値からなる。こられＲゲインの値とＢゲインの値も、経験値からなる。
【００３５】
なお、非発光時ゲインテーブル３８１と可変ゲインテーブル３８２とにおいて、ゲインＮｏ．(1)とゲインＮｏ．１、ゲインＮｏ．(2)とゲインＮｏ．４、ゲインＮｏ．(3)とゲ
インＮｏ．６、ゲインＮｏ．(4)とゲインＮｏ．９は、各々同一のＲゲインの値とＢゲイ
ンの値からなる。
【００３６】
また、前記制御部３５のＲＯＭ又は前記ゲイン記憶部３８には、図５に示す白検出枠データ３５１と、図６に示すＥＶ(Exposure Value)判定データ３５２が記憶されている。
【００３７】
次に、以上の構成からなる本実施の形態において、ＡＷＢモードが設定された状態でのＲＥＣスルーモードにおける動作を図７に示すフローチャートに従い説明する。
なお、図７に示すフローチャートの動作結果に従い決定されたゲイン値によって、制御部３５によるオートホワイトバランス制御が随時行われるものとする。
すなわち電子スチルカメラにあっては、ＲＥＣスルーモードが設定されると、制御部３５は前記プログラムに基づきこのフローチャートに従って処理を開始して、ＣＣＤ２５を１フレーム駆動する（ステップＳ１）。次に、この駆動した１フレーム分のデジタルデータを取り込み（ステップＳ２）、白検出及びＥＶ値を取り込んで（ステップＳ３）、ＥＶ判定「暗」を実行する（ステップＳ４）。
【００３８】
このステップＳ４の処理は、図６に示したＥＶ判定データ３５２に基づいて実行され、取り込んだＥＶ値がＥＶ判定データ３５２の「暗」に属する値であるか否かを判定する。この取り込んだＥＶ値がＥＶ判定データ３５２の「暗」に属する値であった場合には（ステップＳ４；ＹＥＳ）、取り込んだ画像データは、日陰での撮影時、太陽光、蛍光灯、白熱灯を光源とする撮影時のいずれの場合もあり得るものと推定される。
【００３９】
この場合には、条件１で決定されたゲインＮｏ．が、可変ゲインテーブル３８２のゲインがＮｏ．１〜Ｎｏ．１２のうちの、Ｎｏ．１又はＮｏ．２であるか否かを判断する（ステップＳ５）。ここで、条件１で決定されるＮｏ．とは、可変ゲインテーブル３８２のゲインを、第２ゲイン調整回路２２のＲ用アンプ２２ａとＢ用アンプ２２ｃとに、フレーム毎にＮｏ．１〜Ｎｏ．１２まで順番に設定したとき、そのＮｏ．における白の個数（図５に示した白検出枠データ３５１の白枠３５３内に入る画素数）が過去１２フレームのうちで最も多いＮｏ．である。
【００４０】
すなわち、図８の具体例に示すように（図８においては、第１ゲイン調整回路２１を「＃１」、第２ゲイン調整回路２２を「＃２」と表記している。）、ＥＶ判定が「暗」の状態で、フレーム１、２、３、・・・毎に、第２ゲイン調整回路２２（＃２）のＲ用アンプ２２ａとＢ用アンプ２２ｃとに、１、２、３、・・・とＮｏ．１〜Ｎｏ．１２までのゲインを設定して、各々「白の個数」を検出し、過去１２フレームのうちで最も多いＮｏ．を決定する。
【００４１】
このステップＳ５での判断の結果、条件１で決定された可変ゲインテーブル３８２のゲインがＮｏ．１又はＮｏ．２であった場合には（ステップＳ５；ＹＥＳ）、第１ゲイン調整回路２１のＲ用アンプ２１ａとＢ用アンプ２１ｃとに設定すべき非発光時ゲインテーブル３８１のゲイン候補を日陰用であるＮｏ．(1)とする（ステップＳ６）。
【００４２】
また、前記ステップＳ５での判断の結果、条件１で決定された可変ゲインテーブル３８２のゲインがＮｏ．１又はＮｏ．２でなかった場合には（ステップＳ５；ＮＯ）、条件１で決定された可変ゲインテーブル３８２のゲインがＮｏ．３、４、５、１１又は１２であったか否かを判断する（ステップＳ７）。このステップＳ７の判断がＹＥＳであった場合には、第１ゲイン調整回路２１のＲ用アンプ２１ａとＢ用アンプ２１ｃとに設定すべき非発光時ゲインテーブル３８１のゲイン候補を太陽光用であるＮｏ．(2)とする（ステップ
Ｓ８）。
【００４３】
また、前記ステップＳ７での判断の結果、条件１で決定された可変ゲインテーブル３８２のゲインがＮｏ．３、４、５、１１又は１２でなかった場合には（ステップＳ７；ＮＯ）、条件１で決定された可変ゲインテーブル３８２のゲインがＮｏ．６、７又は８であったか否かを判断する（ステップＳ９）。このステップＳ９の判断がＹＥＳであった場合には、第１ゲイン調整回路２１のＲ用アンプ２１ａとＢ用アンプ２１ｃとに設定すべき非発光時ゲインテーブル３８１のゲイン候補を蛍光灯用であるＮｏ．(3)とする（ステップＳ
１０）。
【００４４】
すなわち、図８に示す具体例においては、フレーム１、２、３、・・・１２毎に設定されたゲインＮｏ．１、２、３、・・・１２において、最も白の個数が多かったのは、個数「１００」のＮｏ．７である。したがって、フレーム１３の時点（Ａ時点）でステップＳ９の判断がＹＥＳとなり、蛍光灯用であるＮｏ．(3)が非発光時ゲインテーブル３８１の候補とされることとなる。(ステップＳ１０)
【００４５】
さらに、前記ステップＳ９での判断の結果、条件１で決定された可変ゲインテーブル３８２のゲインがＮｏ．６、７又は８でなかった場合には（ステップＳ９；ＮＯ）、第１ゲイン調整回路２１のＲ用アンプ２１ａとＢ用アンプ２１ｃとに設定すべき非発光時ゲインテーブル３８１のゲイン候補を蛍光灯用であるＮｏ．(4)とする（ステップＳ１１）。
【００４６】
他方、前記ステップＳ４で判断の結果、取り込んだＥＶ値がＥＶ判定データ３５２の「暗」に属する値でなかった場合には（ステップＳ４；ＮＯ）、「明」に属する値であるか否かを判定する（ステップＳ２４）。このＥＶ値がＥＶ判定データ３５２の「明」に属する値であった場合には（ステップＳ２４；ＹＥＳ）、取り込んだ画像データは、太陽光を光源とする撮影時のものであると推定される。よって、この場合には、前述したステップＳ８と同様に、第１ゲイン調整回路２１のＲ用アンプ２１ａとＢ用アンプ２１ｃとに設定すべき非発光時ゲインテーブル３８１のゲイン候補を太陽光用であるＮｏ．(2)とする（ステップＳ２５）。
【００４７】
しかし、前記ステップＳ１４で判断の結果、取り込んだＥＶ値がＥＶ判定データ３５２の「明」に属する値でもなかった場合には（ステップＳ２４；ＮＯ）、前述したステップＳ５と同様に、条件１で決定された可変ゲインテーブル３８２のゲインがＮｏ．１又はＮｏ．２であったか否かを判断する（ステップＳ２６）。そして、条件１で決定された可変ゲインテーブル３８２のゲインがＮｏ．１又はＮｏ．２であった場合には（ステップＳ２６；ＹＥＳ）、第１ゲイン調整回路２１のＲ用アンプ２１ａとＢ用アンプ２１ｃとに設定すべき非発光時ゲインテーブル３８１のゲイン候補を日陰用であるＮｏ．(1)とする（ステップＳ２７）。しかし、条件１で決定された可変ゲインテーブル３８２のゲインがＮｏ．１又はＮｏ．２でなかった場合には（ステップＳ２６；ＮＯ）、第１ゲイン調整回路２１のＲ用アンプ２１ａとＢ用アンプ２１ｃとに設定すべき非発光時ゲインテーブル３８１のゲイン候補を太陽光用であるＮｏ．(2)とする（ステップＳ２８）。
【００４８】
次に、前述のステップＳ６、Ｓ８、Ｓ１０、Ｓ１１、Ｓ２５、Ｓ２７、Ｓ２８で候補とされたＮｏ．が連続して３２回同じであるか否かを判断する（ステップＳ１２）。連続して３２回同じではない場合には（ステップＳ１２；ＮＯ）、ステップＳ１からの処理を繰り返し、連続して３２回同じとなったならば（ステップＳ１２；ＹＥＳ）、ストロボ３７を発光させて撮像を行う撮像条件であるか否かを判断する（ステップＳ１３）。
【００４９】
そして、制御部３５がシャッターキーの操作時（撮影時）にストロボ３７を発光動作させる必要はないと判断している場合、あるいはユーザが操作部３６でストロボ３７の非発光を設定している場合等においては（ステップＳ１３；ＮＯ）、第１ゲイン調整回路２１のＲ用アンプ２１ａとＢ用アンプ２１ｃとに、そのＮｏ．のゲイン値を設定して更新する（ステップＳ１３）。
【００５０】
すなわち、図７に示す具体例においては、候補とされたＮｏ．(3)がＢ時点で３２回連
続している。したがって、Ｂ時点でステップＳ１２の判断がＹＥＳとなって、初期値であるＮｏ．(2)からＮｏ．(3)に更新される。また、Ｃ時点においても、場面が変化したと推定されるＤ時点から候補とされたＮｏ．(2)が３２回連続している。したがって、Ｃ時点でもステップＳ１２の判断がＹＥＳとなって、Ｎｏ．(3)からＮｏ．(2)に更新される。
【００５１】
したがって、第１ゲイン調整回路２１のＲ用アンプ２１ａとＢ用アンプ２１ｃは、ユニット回路２８から送られた光学像のデジタル画像データのＲ、Ｂ色成分を前記ステップＳ１３で設定されたゲインで増幅する。そして前述のように、この第１ゲイン調整回路２１によって増幅された画像信号は第１カラープロセス回路２３に送られ、ここでカラープロセス処理を行われた後、デジタルの輝度信号（Ｙ信号）と色差信号（Ｃｂ信号、Ｃｒ信号）を含んだＹＵＶデータとしてＤＭＡコントローラ２９のバッファに書き込まれる。ＤＭＡコントローラ２９はバッファに書き込まれたＹＵＶデータをＤＲＡＭ３０の指定領域に転送し、展開する。ビデオエンコーダ３１は、前記バッファから読み出されたＹＵＶデータを元にビデオ信号を発生してＬＣＤからなる表示装置３２に出力する。
【００５２】
これにより、撮像待機状態にあるＲＥＣスルーモードの設定時には、光源に応じてホワイトバランスを設定する煩雑な操作を必要とせずに、発光を伴う撮影時において良好なホワイトバランスが確保された被写体像が表示装置３２にスルー画像として表示されることとなる。しかも、表示装置３２にスルー画像として表示されるのは、前記条件１により可変ゲインテーブル３８２のゲインがフレーム毎にＮｏ．１〜Ｎｏ．１２まで順番に設定される第２ゲイン調整回路２２からの画像データに基づくものではなく、前述のステップＳ１３でゲインが更新、設定される第２ゲイン調整回路２２からの画像データに基づくものであることから、表示装置３２に表示されているスルー画像のホワイトバランスが頻繁に変化することもない。
【００５３】
そして、シャッターキーが押された撮影指示時には、前記バッファに書き込まれた１フレーム分のＹＵＶデータが圧縮／伸張部３３に送られ、圧縮処理を施されてフラッシュメモリ３４に記録される。これにより、フラッシュメモリ３４にホワイトバランスが確保された被写体画像の画像データを記録することができる。
【００５４】
他方、制御部３５がシャッターキーの操作時（撮影時）にストロボ３７を発光動作させると判断している場合、あるいはユーザが操作部３６でストロボ３７の強制発光を設定している場合等においては（ステップＳ１３；ＹＥＳ）、先ず光源を特定する。すなわち、前述のようにステップＳ１２の判断がＹＥＳとなった時点で、非発光時ゲインテーブルのゲインＮｏ．(1)〜(4)の何れかが決定される。この決定された各ゲインＮｏ．(1)〜(4)において、前述したようにゲインＮｏ．(1)は日陰での撮影時、ゲインＮｏ．(2)は太陽光、ゲインＮｏ．(3)は蛍光灯、ゲインＮｏ．(4)は白熱灯を光源とする撮影時に設定されるゲインである。したがって、ステップＳ１２の判断がＹＥＳとなった時点で決定されているゲインＮｏ．(1)であれば光源は「日陰」であると特定し、(2)であれば光源は「太陽光」であると特定し、(3)であれば光源は「蛍光灯」であると特定し、(4)であれば光源は「白熱灯」であると特定する。
【００５５】
次に、両発光時ゲインテーブル３８３、３８４を参照して、第１ゲイン調整回路２１のＲ用アンプ２１ａとＢ用アンプ２１ｃとにストロボ発光時におけるゲイン値を設定して更新する（ステップＳ１５）。
【００５６】
すなわち、前記ステップＳ１５の処理により、光源が「日陰」、「太陽光」、「蛍光灯」、「白熱灯」のいずれかであるかが特定されている。また、ステップＳ３での処理により、ＥＶ値が取り込まれている。したがって、ステップＳ１６においてば、先ず図３（ａ）に示した第１発光時ゲインテーブル３８３から、特定された光源（「日陰」、「太陽光」、「蛍光灯」、「白熱灯」）に対応し、かつ、取り込んだＥＶ値に対応する符号を読み出す。さらに、この第１発光時ゲインテーブル３８３から読み出した符号に対応するＲゲインの値とＢゲインの値を読み出し、このゲイン値を第１ゲイン調整回路２１のＲ用アンプ２１ａとＢ用アンプ２１ｃとに設定して更新する（ステップＳ１６）。
【００５７】
すなわち、図８に示す具体例においては、候補とされたＮｏ．(3)がＢ時点で３２回連続している。したがって、Ｂ時点でステップＳ１２の判断がＹＥＳとなって、Ｎｏ．(3)の「蛍光灯」が特定される。このとき、例えばＥＶ３〜４であれば、図３（ａ）の第１発光時ゲインテーブル３８３において、「蛍光灯」の「ＥＶ３〜４」は「Ｂ１」である。また、この「Ｂ１」は図３（ｂ）の第２発光時ゲインテーブル３８４において、Ｒゲイン「１２５」、Ｂゲイン「１０６」である。よって、Ｂ時点で第１ゲイン調整回路２１のＲ用アンプ２１ａのゲイン値は「１２５」に、Ｂ用アンプ２１ｃのゲイン値は「１０６」に各々設定されて更新される。
【００５８】
また、Ｃ時点においても、場面が変化したと推定されるＤ時点から候補とされたＮｏ．(2)が３２回連続している。したがって、Ｃ時点でステップＳ１２の判断がＹＥＳとなって、Ｎｏ．(2)の「太陽光」が特定される。このとき、ＥＶ２以下、ＥＶ３〜４、ＥＶ５以上のいずれであっても、図３（ａ）の第１発光時ゲインテーブル３８３において、「太陽光」の符号は「Ｄ」である。また、この「Ｄ」は図３（ｂ）の第２発光時ゲインテーブル３８４において、Ｒゲイン「１２９」、Ｂゲイン「７２」である。よって、Ｃ時点で第１ゲイン調整回路２１のＲ用アンプ２１ａのゲイン値は「１２９」に、Ｂ用アンプ２１ｃのゲイン値は「２５」に各々設定されて更新される。
【００５９】
したがって、第１ゲイン調整回路２１のＲ用アンプ２１ａとＢ用アンプ２１ｃは、ユニット回路２８から送られた光学像のデジタル画像データのＲ、Ｂ色成分を前記ステップＳ１６で設定されたゲインで増幅する。そして前述のように、この第１ゲイン調整回路２１によって増幅された画像信号は第１カラープロセス回路２３に送られ、ここでカラープロセス処理を行われた後、デジタルの輝度信号（Ｙ信号）と色差信号（Ｃｂ信号、Ｃｒ信号）を含んだＹＵＶデータとしてＤＭＡコントローラ２９のバッファに書き込まれる。ＤＭＡコントローラ２９はバッファに書き込まれたＹＵＶデータをＤＲＡＭ３０の指定領域に転送し、展開する。ビデオエンコーダ３１は、前記バッファから読み出されたＹＵＶデータを元にビデオ信号を発生してＬＣＤからなる表示装置３２に出力する。
【００６０】
そして、シャッターキーが押された撮影指示時には、ストロボ３７が発光動作した後、前記バッファに書き込まれた１フレーム分のＹＵＶデータが圧縮／伸張部３３に送られ、圧縮処理を施されてフラッシュメモリ３４に記録される。これにより、フラッシュメモリ３４には、ストロボ３７の発光時において、外光を考慮したホワイトバランスが確保された被写体画像の画像データを記録することができる。すなわち、ストロボ３７の発光時に、太陽光以外の「日陰」、「蛍光灯」、「白熱灯」が外光として被写体に当たっている状態であっても、外光の色味が残っていない被写体画像の画像データを記録することができることとなる。
【００６１】
なお、本実施の形態においては、ＣＣＤ２５により１フレーム分の画像全体に対して白検出を行うようにしたが、図９に示すように、１フレーム分の画像Ｐを中央部Ｐｃ、上部Ｐｕ、下部Ｐｄに三分割し、中央部Ｐｃは一般的に被写体が配置されるので、中央部Ｐｃを除く上部Ｐｕ及び下部Ｐｄに対してのみ白検出を行う等、画像を部分的に特定して白検出を行うようにしてもよい。
【００６２】
また、本実施の形態においては、ＥＶの値そのものをＥＶ判定で用いるようにしたが、ＥＶの移動平均を取ってこれをＥＶ判定に用いるようにしてもよい。これにより、短時間内におけるＥＶの変化に左右されることなく、安定した判定を行うことができる。
【００６３】
さらに、本実施の形態においては主として、スルー画像を表示した状態でシャッターキーが押されると、その時点で撮像した画像を記録する電子スチルカメラについて説明したが、本発明は、前述したようなカメラに限定されることなく、撮像する画像のオートホワイトバランス制御を行う機器であれば他の装置にも適用することができる。
【図面の簡単な説明】
【００６４】
【図１】本発明の一実施の形態を示す電子スチルカメラのブロック構成図である。
【図２】非発光時ゲインテーブルの構成を示す概念図である。
【図３】（ａ）は第１発光時ゲインテーブルの構成示す概念図、（ｂ）は第２発光時ゲインテーブルの構成示す概念図である。
【図４】可変ゲインテーブルの構成を示す概念図である。
【図５】白検出枠データを示す図である。
【図６】ＥＶ判定データを示す図である。
【図７】本実施の形態におけるＲＥＣスルーモードでの動作を示すフローチャートである。
【図８】本実施の形態におけるＲＥＣスルーモードでの動作の具体例を示す図である。
【図９】本発明の他の実施の形態における白検出方法を示す説明図である。
【符号の説明】
【００６５】
２１    第１ゲイン調整回路
２１ａ  Ｒ用アンプ
２１ｃ  Ｂ用アンプ
２２    第２ゲイン調整回路
２２ａ  Ｒ用アンプ
２２ｃ  Ｂ用アンプ
２３    第１カラープロセス回路
２４    第２カラープロセス回路
２５    ＣＣＤ
２６    タイミング信号発生器
２７    垂直ドライバ
２８    ユニット回路
２９    ＤＭＡコントローラ
３０    ＤＲＡＭ
３１    ビデオエンコーダ
３２    表示装置
３３    圧縮／伸張部
３４    フラッシュメモリ
３５    制御部
３８    ゲイン記憶部
３８１  非発光時ゲインテーブル
３８２  可変ゲインテーブル
３８３  第１発光時ゲインテーブル
３８４  第２発光時ゲインテーブル
【図１】
2005102177.tif 000003
【図２】
2005102177.tif 000004
【図３】
2005102177.tif 000005
【図４】
2005102177.tif 000006
【図５】
2005102177.tif 000007
【図６】
2005102177.tif 000008
【図７】
2005102177.tif 000009
【図８】
2005102177.tif 000010
【図９】
2005102177.tif 000011